(57)【要約】【課題】  消費電力を低減させた表示駆動装置、表示装置及び表示駆動装置の駆動制御方法を提供すること。【解決手段】  複数の走査ラインの各々に走査信号を順次出力して選択状態とする走査ドライバ２０と、複数の信号ラインの各々に所定の映像信号に基づく信号電圧を印加する信号ドライバ３０とを備える表示駆動装置において、信号ドライバ３０内にタイミングコントロール回路２０１が内蔵され、タイミングコントロール回路２０１は走査ドライバ２０による１画面の走査が終了したか否かを判定し、走査が終了したと判定された場合に走査ドライバ２０及び信号ドライバ３０の駆動を停止し、次画面の走査開始の際に駆動を再開する。【選択図】図２
2006133673.tif 000002
【特許請求の範囲】
【請求項１】
複数の走査ライン及び複数の信号ラインの各交点近傍にマトリクス状に配列された複数の表示画素を有する表示パネルを表示駆動する表示駆動装置において、
前記複数の信号ラインの各々に映像信号に基づく信号電圧を印加する信号側駆動手段と、
前記複数の走査ラインに走査信号を順次出力して順次走査する走査側駆動手段と、
前記走査側駆動手段による１画面の走査が終了したか否かの判定に基づき、前記走査側駆動手段及び前記信号側駆動手段の駆動状態を制御する駆動制御手段と、
を備えることを特徴とする表示駆動装置。
【請求項２】
前記駆動制御手段は、前記走査側駆動手段による１画面の走査が終了したと判定されたとき、前記走査側駆動手段及び前記信号側駆動手段の駆動を停止させ、次画面の走査開始の際に駆動を再開させることを特徴とする請求項１に記載の表示駆動装置。
【請求項３】
前記駆動制御手段は、前記映像信号に基づく垂直同期信号及び水平同期信号が印加されて、該垂直同期信号及び水平同期信号の印加タイミングに基づく１画面の走査開始タイミングから前記水平同期信号の数をカウントするカウント手段を備え、
前記１画面の走査が終了したか否かの判定は、前記カウント手段におけるカウント数が１画面の走査ライン数に達したか否かの判断に基づいて行われることを特徴とする請求項１に記載の表示駆動装置。
【請求項４】
前記駆動制御手段における前記１画面の走査が終了したか否かの判定は、前記走査側駆動手段により前記表示パネルの最終段の前記走査ラインに前記走査信号が出力されたか否かの判断に基づいて行われることを特徴とする請求項１に記載の表示駆動装置。
【請求項５】
前記駆動制御手段は、前記走査側駆動手段により前記各走査ラインの走査タイミングに応じて順次シフトされ、前記表示パネルの最終段の前記走査ラインに前記走査信号が出力された際に該走査側駆動手段から出力される制御信号を検知する手段を備え、
前記１画面の走査が終了したか否かの判定は、前記走査側駆動手段から前記制御信号が出力された否かに基づいて行われることを特徴とする請求項１に記載の表示駆動装置。
【請求項６】
前記駆動制御手段は、前記信号側駆動手段又は前記走査側駆動手段の何れかに内蔵されていることを特徴とする請求項１に記載の表示駆動装置。
【請求項７】
複数の走査ライン及び複数の信号ラインの各交点近傍にマトリクス状に配列された複数の表示画素を有する表示パネルに映像信号に応じた画像を表示する表示装置において、
前記複数の信号ラインの各々に映像信号に基づく信号電圧を印加する信号側駆動手段と、
前記複数の走査ラインに走査信号を順次出力して前記表示画素を順次選択状態にする走査側駆動手段と、
前記走査側駆動手段による前記表示パネルの前記複数の走査ラインの走査が終了したか否かの判定に基づき、前記走査側駆動手段及び前記信号側駆動手段の駆動状態を制御する駆動制御手段と、
を備えることを特徴とする表示装置。
【請求項８】
前記駆動制御手段は、前記走査側駆動手段による前記表示パネルの前記複数の走査ラインの走査が終了したと判定されたとき、前記走査側駆動手段及び前記信号側駆動手段の駆動を停止させ、次画面の走査開始の際に駆動を再開させることを特徴とする請求項７に記載の表示装置。
【請求項９】
前記駆動制御手段は、前記映像信号に基づく垂直同期信号及び水平同期信号が印加されて、該垂直同期信号及び水平同期信号の印加タイミングに基づく前記表示パネルの走査開始タイミングから前記水平同期信号の数をカウントするカウント手段を備え、
前記表示パネルの複数の走査ラインの走査が終了したか否かの判定は、前記カウント手段におけるカウント数が前記表示パネルの走査ライン数に達したか否かの判断に基づいて行われることを特徴とする請求項７に記載の表示装置。
【請求項１０】
前記駆動制御手段は、前記走査側駆動手段により前記各走査ラインの走査タイミングに応じて順次シフトされ、前記１画面の走査が終了した際に前記走査側駆動手段より出力される制御信号を検知する手段を備え、
前記１画面の走査が終了したか否かの判定は、前記走査側駆動手段のから前記制御信号が出力された否かに基づいて行われることを特徴とする請求項７に記載の表示装置。
【請求項１１】
前記駆動制御手段は、前記信号側駆動手段又は前記走査側駆動手段の何れかに内蔵されていることを特徴とする請求項７に記載の表示装置。
【請求項１２】
複数の走査ライン及び複数の信号ラインの各交点近傍にマトリクス状に配列された
複数の表示画素を有する表示パネルの前記複数の走査ラインに走査信号を順次出力し
て順次走査することにより表示駆動する表示駆動装置の駆動制御方法であって、
前記表示パネルの前記複数の走査ラインの走査が終了したか否かを判定する判定ス
テップと、
走査が終了したと判定された場合に、前記表示パネルの表示駆動を停止させ、次画
面の走査開始の際に駆動を再開する制御ステップと、
を含むことを特徴とする表示駆動装置の駆動制御方法。
【請求項１３】
前記判定ステップは、前記表示パネルの走査開始時点から水平走査期間の数をカウントするステップと、該カウント数が表示パネルの走査ライン数に達したか否かに応じて前記表示パネルの前記複数の走査ラインの走査が終了したか否か判定するステップと、を含むことを特徴とする請求項１２に記載の表示駆動装置の駆動制御方法。
【請求項１４】
前記判定ステップは、前記表示パネルの最終段の走査ラインに前記走査信号が出力されたか否かを判定するステップを含むことを特徴とする請求項１２に記載の表示駆動装置の駆動制御方法。
【請求項１５】
前記判定ステップは、前記表示パネルの各走査ラインの走査タイミングに応じて転送され、前記表示パネルの最終段の走査ラインが走査されたタイミングで出力される制御信号を検知するステップと、前記制御信号を検知したか否かに応じて前記表示パネルの前記複数の走査ラインの走査が終了したか否か判定するステップと、を含むことを特徴とする請求項１２に記載の表示駆動装置の駆動制御方法。
【発明の詳細な説明】
【技術分野】
【０００１】
本発明は、映像信号に応じた信号電圧を表示パネルの各信号ラインに印加して、当該表示パネルを表示駆動する表示駆動装置、表示装置及びその表示駆動装置の駆動制御方法に関する。
【背景技術】
【０００２】
液晶を駆動させて画像表示する液晶表示装置が知られている。このような液晶表示装置には、液晶表示パネル上に複数の走査ラインと複数の信号ラインとをそれぞれ直交に配置し、各交点近傍に液晶画素を配置するアクティブマトリクス方式のものがある。このアクティブマトリクス方式の液晶パネルにおいては、スイッチング素子（例えばＴＦＴ（Thin Film Transistor：薄膜トランジスタ））を介して信号ラインに接続される画素電極（表示画素）と、当該画素電極に対向して配置される共通電極との間に液晶が充填され、２つの電極間にて電場が形成されることにより液晶が駆動される。このような液晶表示パネルを駆動する表示駆動装置として、例えば特許文献１に開示されているような表示駆動装置が知られている。
【０００３】
図９は、液晶表示パネル及び表示駆動装置としてのドライバを備えた従来の液晶表示装置の要部構成図である。また、図１０は、表示画素の等価回路である。図９に示すように、液晶表示装置は、液晶表示パネル１０、信号ドライバ１２０、走査ドライバ１３０等を備えて構成される。
【０００４】
液晶表示パネル１０は、行方向に配設された複数の走査ラインＧと、列方向に配設された複数の信号ラインＳを備え、走査ラインＧと信号ラインＳの各交点付近に図１０に示す表示画素を備える。
【０００５】
図１０に示すように、各表示画素は、薄膜トランジスタ（ＴＦＴ）９１を介して走査ラインＧ及び信号ラインＳに接続された画素電極９２と、画素電極９２に対向する位置に配置された対向電極９３と、画素電極９２と対向電極９３との間に液晶が充填されてなる画素容量９４と、画素容量９４と並列接続され、画素容量９４の印加電圧を保持する補助容量９５と、補助容量９５の一端に接続される補助容量ラインＣから構成され、画素電極９２と対向電極９３との間に形成される電界により液晶の配列が変化することを用いて、画像表示が実現される。
【０００６】
信号ドライバ１２０は、例えば信号ドライバ１２０ａ、１２０ｂ及び１２０ｃの３個の半導体集積回路（ＬＳＩ）によって構成される。信号ドライバ１２０には信号ラインＳが接続される。信号ドライバ１２０ａには水平制御信号（水平クロック信号ＨＣＬＫ、水平データ読込開始信号ＨＤ、ラッチ動作制御信号ＳＴＢ、出力イネーブル信号ＯＥ等）が印加され、水平制御信号における水平データ読込開始信号ＨＤに応じて、水平クロック信号ＨＣＬＫに同期して反転ＲＧＢ信号のラッチ動作を行う。信号ドライバ１２０ａのラッチ動作が終了すると、信号ドライバ１２０ａから信号線１２１ａを介して水平データ読込開始信号ＨＤが出力され、信号ドライバ１２０ｂはラッチ動作を開始する。そして、信号ドライバ１２０ｂのラッチ動作が終了すると、信号ドライバ１２０ｂから信号線１２１ｂを介して水平データ読込開始信号ＨＤが出力され、信号ドライバ１２０ｃはラッチ動作を開始する。こうして、信号ドライバ１２０は反転ＲＧＢ信号を順次ラッチし、そして、ラッチした反転ＲＧＢ信号に対応する表示信号電圧を各信号ラインＳに印加する。
【０００７】
走査ドライバ１３０は、例えば走査ドライバ１３０ａ及び走査ドライバ１３０ｂの２個のＬＳＩによって構成される。走査ドライバ１３０には走査ラインＧが接続される。走査ドライバ１３０ａには垂直制御信号（垂直クロック信号ＶＣＬＫ、垂直走査開始信号ＶＳ等）が印加され、垂直制御信号における垂直走査開始信号ＶＳが入力されると、垂直クロック信号ＶＣＬＫに同期して走査ラインＧを順次走査する走査信号を出力する。走査ドライバ１３０ａに接続されている走査ラインＧの最終ラインが選択されると、走査ドライバ１３０ａから信号線１３１ａを介して垂直走査開始信号ＶＳが出力され、走査ドライバ１３０ｂは垂直走査シフト信号ＶＳＨに基づいて走査ラインＧを順次走査する走査信号を出力する。これにより、走査ドライバ１３０は全走査ラインＧを順次走査する。
【０００８】
図１１は、図９に示した液晶表示装置を制御する主な信号の波形を示した図である。同図において、横軸を時間軸として、ＲＧＢデコーダ（不図示）から出力される垂直同期信号Ｖ、水平同期信号Ｈ、垂直制御信号における垂直走査開始信号ＶＳ、垂直クロック信号ＶＣＬＫ、水平制御信号における水平データ読込開始信号ＨＤ、信号ドライバ出力、走査ドライバから各走査ラインＧに印加される走査信号の波形Ｘ１〜Ｘｎを示している。
【０００９】
同図に示すように、１フレームは垂直バックポーチ（垂直ＢＰ）、垂直表示期間、垂直フロントポーチ（垂直ＦＰ）、から成る。垂直表示期間は液晶表示パネル１０に表示信号電圧に応じた画像表示が行われる期間である。垂直ＢＰとは、垂直同期信号Ｖの立ち下がり直後の水平同期信号Ｈの立ち上がりから液晶表示パネル１０に対する表示信号電圧の印加開始に対応する水平同期信号Ｈの出力までの期間であり、垂直ＦＰとは液晶表示パネル１０の表示信号電圧の印加終了から垂直同期信号Ｖの立ち下がりまでの期間であって、液晶表示パネル１０に画像表示が行われない期間である。また垂直ＢＰと垂直ＦＰを合わせた期間を帰線期間と言う。
【００１０】
垂直同期信号Ｖの立ち上がりに基づいて、垂直走査開始信号ＶＳが出力されると、走査ドライバ１３０は垂直クロック信号ＶＣＬＫに同期して走査ラインＧを順次選択する。また信号ドライバ１２０は水平クロック信号ＨＣＬＫに同期して反転ＲＧＢ信号のラッチ動作を行い、ラッチした反転ＲＧＢ信号に対応する表示信号電圧を各信号ラインＳに印加する。
【特許文献１】特開２００３−９１２６６号公報
【発明の開示】
【発明が解決しようとする課題】
【００１１】
ところで、垂直ＢＰと垂直ＦＰを合わせた帰線期間においては、走査ドライバ１３０にからは走査信号は出力されず、走査ラインＧの走査は行われないが、水平データ読込開始信号ＨＤ、垂直クロック信号ＶＣＬＫ等の信号ドライバ１２０及び垂直ドライバ１３０を駆動するための各種制御信号は停止されず、継続的に印加されていた。従って、信号ドライバ１２０及び垂直ドライバ１３０の回路は帰線期間においても継続して動作していた。つまり、本来は駆動の必要のない帰線期間であるにも関わらず信号ドライバ１２０及び走査ドライバ１３０は駆動状態であったため、その分無駄な消費電力を費やしていた。
【００１２】
本発明は以上の点を考慮してなされたものであり、その目的とするところは、消費電力を低減させた表示駆動装置、表示装置及び表示駆動装置の駆動制御方法を提供することである。
【課題を解決するための手段】
【００１３】
以上の課題を解決するために、請求項１に記載の発明は、複数の走査ライン及び複数の信号ラインの各交点近傍にマトリクス状に配列された複数の表示画素を有する表示パネルを表示駆動する表示駆動装置において、前記複数の信号ラインの各々に映像信号に基づく信号電圧を印加する信号側駆動手段と、前記複数の走査ラインに走査信号を順次出力して順次走査する走査側駆動手段と、前記走査側駆動手段による１画面の走査が終了したか否かの判定に基づき、前記走査側駆動手段及び前記信号側駆動手段の駆動状態を制御する駆動制御手段と、を備えることを特徴とする。
【００１４】
請求項２に記載の発明は、請求項１に記載の表示駆動装置において、前記駆動制御手段は、前記走査側駆動手段による１画面の走査が終了したと判定されたとき、前記走査側駆動手段及び前記信号側駆動手段の駆動を停止させ、次画面の走査開始の際に駆動を再開させることを特徴とする。
【００１５】
請求項３に記載の発明は、請求項１に記載の表示駆動装置において、前記駆動制御手段は、前記映像信号に基づく垂直同期信号及び水平同期信号が印加されて、該垂直同期信号及び水平同期信号の印加タイミングに基づく１画面の走査開始タイミングから前記水平同期信号の数をカウントするカウント手段を備え、前記１画面の走査が終了したか否かの判定は、前記カウント手段におけるカウント数が１画面の走査ライン数に達したか否かの判断に基づいて行われることを特徴とする。
【００１６】
請求項４に記載の発明は、請求項１に記載の表示駆動装置において、前記駆動制御手段における前記１画面の走査が終了したか否かの判定は、前記走査側駆動手段により前記表示パネルの最終段の前記走査ラインに前記走査信号が出力されたか否かの判断に基づいて行われることを特徴とする。
【００１７】
請求項５に記載の発明は、請求項１に記載の表示駆動装置において、前記駆動制御手段は、前記走査側駆動手段により前記各走査ラインの走査タイミングに応じて順次シフトされ、前記表示パネルの最終段の前記走査ラインに前記走査信号が出力された際に該走査側駆動手段から出力される制御信号を検知する手段を備え、前記１画面の走査が終了したか否かの判定は、前記走査側駆動手段から前記制御信号が出力された否かに基づいて行われることを特徴とする。
【００１８】
請求項６に記載の発明は、請求項１に記載の表示駆動装置において、前記駆動制御手段は、前記信号側駆動手段又は前記走査側駆動手段の何れかに内蔵されていることを特徴とする。
【００１９】
請求項７に記載の発明は、複数の走査ライン及び複数の信号ラインの各交点近傍にマトリクス状に配列された複数の表示画素を有する表示パネルに映像信号に応じた画像を表示する表示装置において、前記複数の信号ラインの各々に映像信号に基づく信号電圧を印加する信号側駆動手段と、前記複数の走査ラインに走査信号を順次出力して前記表示画素を順次選択状態にする走査側駆動手段と、前記走査側駆動手段による前記表示パネルの前記複数の走査ラインの走査が終了したか否かの判定に基づき、前記走査側駆動手段及び前記信号側駆動手段の駆動状態を制御する駆動制御手段と、を備えることを特徴とする表示装置。
【００２０】
請求項８に記載の発明は、請求項７に記載の表示装置において、前記駆動制御手段は、前記走査側駆動手段による前記表示パネルの前記複数の走査ラインの走査が終了したと判定されたとき、前記走査側駆動手段及び前記信号側駆動手段の駆動を停止させ、次画面の走査開始の際に駆動を再開させることを特徴とする。
【００２１】
請求項９に記載の発明は、請求項７に記載の表示装置において、前記駆動制御手段は、前記映像信号に基づく垂直同期信号及び水平同期信号が印加されて、該垂直同期信号及び水平同期信号の印加タイミングに基づく前記表示パネルの走査開始タイミングから前記水平同期信号の数をカウントするカウント手段を備え、前記表示パネルの複数の走査ラインの走査が終了したか否かの判定は、前記カウント手段におけるカウント数が前記表示パネルの走査ライン数に達したか否かの判断に基づいて行われることを特徴とする。
【００２２】
請求項１０に記載の発明は、請求項７に記載の表示装置において、前記駆動制御手段は、前記走査側駆動手段により前記各走査ラインの走査タイミングに応じて順次シフトされ、前記１画面の走査が終了した際に前記走査側駆動手段より出力される制御信号を検知する手段を備え、前記１画面の走査が終了したか否かの判定は、前記走査側駆動手段のから前記制御信号が出力された否かに基づいて行われることを特徴とする。
【００２３】
請求項１１に記載の発明は、請求項７に記載の表示装置において、前記駆動制御手段は、前記信号側駆動手段又は前記走査側駆動手段の何れかに内蔵されていることを特徴とする。
【００２４】
請求項１２に記載の発明は、複数の走査ライン及び複数の信号ラインの各交点近傍にマトリクス状に配列された複数の表示画素を有する表示パネルの前記複数の走査ラインに走査信号を順次出力して順次走査することにより表示駆動する表示駆動装置の駆動制御方法であって、前記表示パネルの前記複数の走査ラインの走査が終了したか否かを判定する判定ステップと、走査が終了したと判定された場合に、前記表示パネルの表示駆動を停止させ、次画面の走査開始の際に駆動を再開する制御ステップと、を含むことを特徴とする表示駆動装置の駆動制御方法。
【００２５】
請求項１３に記載の発明は、請求項１２に記載の表示駆動装置の駆動制御方法において、前記判定ステップは、前記表示パネルの走査開始時点から水平走査期間の数をカウントするステップと、該カウント数が表示パネルの走査ライン数に達したか否かに応じて前記表示パネルの前記複数の走査ラインの走査が終了したか否か判定するステップと、を含むことを特徴とする。
【００２６】
請求項１４に記載の発明は、請求項１２に記載の表示駆動装置の駆動制御方法において、前記判定ステップは、前記表示パネルの最終段の走査ラインに前記走査信号が出力されたか否かを判定するステップを含むことを特徴とする。
【００２７】
請求項１５に記載の発明は、請求項１２に記載の表示駆動装置の駆動制御方法において、前記判定ステップは、前記表示パネルの各走査ラインの走査タイミングに応じて転送され、前記表示パネルの最終段の走査ラインが走査されたタイミングで出力される制御信号を検知するステップと、前記制御信号を検知したか否かに応じて前記表示パネルの前記複数の走査ラインの走査が終了したか否か判定するステップと、を含むことを特徴とする。
【発明の効果】
【００２８】
本発明によれば、走査側駆動手段による全１画面の走査が終了したか否かを判定する手段を備え、その判定結果に基づいて走査側駆動手段及び信号側駆動手段の駆動が制御されることにより、駆動の必要のない帰線期間において走査側駆動手段及び信号側駆動手段の駆動を停止させることができる。これにより、表示駆動装置及び表示装置の消費電力を低減させることができる。
【発明を実施するための最良の形態】
【００２９】
〔第１の実施の形態〕
以下、本発明を液晶表示装置に適用した場合の第１の実施の形態を図示例と共に説明する。図１は、本発明における液晶表示装置の構成を示すブロック図である。液晶表示装置１は、液晶表示パネル１０、信号ドライバ２０、走査ドライバ３０、ＲＧＢデコーダ４０、反転アンプ５０、駆動アンプ６０、ＬＣＤコントローラ７０等を備えて構成される。
【００３０】
液晶表示パネル１０は、行方向に配設された複数の走査ラインＧと、列方向に配設された複数の信号ラインＳを備え、走査ラインＧと信号ラインＳの各交点付近に図１０に示す表示画素を備える。
【００３１】
信号ドライバ２０には、信号ラインＳが接続され、後述するＬＣＤコントローラ７０から出力される水平制御信号、垂直制御信号が供給され、水平制御信号に基づいて、反転アンプ５０から供給される反転ＲＧＢ信号を１行単位で取り込んで保持し、反転ＲＧＢ信号に対応する表示信号電圧を各信号ラインＳに供給する。ここで、水平制御信号は、水平データ読込開始信号ＨＤ、水平クロック信号ＨＣＬＫ、水平同期信号Ｈ等を含み、垂直制御信号は、垂直走査開始信号ＶＳ、垂直クロック信号ＶＣＬＫ、垂直同期信号Ｖ等を含む。更に信号ドライバ２０は、後述するタイミングコントロール回路（駆動制御手段）２０１を備え、タイミングコントロール回路２０１によって液晶表示パネル１０の走査ライン数に合わせたタイミング調整が行われ、タイミングコントロール回路２０１を介して走査ドライバ３０の駆動に垂直制御信号（垂直走査開始信号ＶＳ、垂直クロック信号等）が出力される。
【００３２】
走査ドライバ３０には、走査ラインＧが接続され、信号ドライバ２０から出力される垂直制御信号に基づいて、各走査ラインＧに走査信号を順次印加して選択状態とし、信号ラインＳと交差する位置の表示画素に、信号ドライバ２０から信号ラインＳを介して供給された表示信号電圧を印加する。
【００３３】
ＲＧＢデコーダ４０は、例えば、液晶表示装置１の外部から供給される映像信号（コンポジットビデオ信号）から水平同期信号Ｈ、垂直同期信号Ｖ及びコンポジット同期信号ＣＳＹを抽出して、ＬＣＤコントローラ７０に供給すると共に、映像信号に含まれるＲ、Ｇ、Ｂの各色信号（ＲＧＢ信号）を抽出し、反転アンプ５０に出力する。
【００３４】
反転アンプ５０は、ＬＣＤコントローラ７０から供給される極性反転制御信号ＦＲＰに応じてＲＧＢ信号を反転処理して、反転ＲＧＢ信号を生成して信号ドライバ２０に出力する。
【００３５】
駆動アンプ６０は、各表示画素に設けられた補助容量ラインＣ及び対向電極９３に印加されるコモン信号電圧ＶＣＯＭを生成して出力し、ＬＣＤコントローラ７０から出力される極性反転制御信号ＦＲＰに応じて、コモン信号電圧ＶＣＯＭの極性を反転して出力する。
【００３６】
ＬＣＤコントローラ７０は、ＲＧＢデコーダ４０から供給される水平同期信号Ｈ、垂直同期信号Ｖ及びコンポジット同期信号ＣＳＹに基づいて、極性反転制御信号ＦＲＰ等を生成して、反転アンプ５０及び駆動アンプ６０に出力すると共に、水平制御信号及び垂直制御信号を信号ドライバ２０に出力することにより、所定のタイミングで各表示画素に表示信号電圧を印加して、液晶表示パネル１０に映像信号に基づく所定の画像情報を表示させる制御を行う。
【００３７】
図２は本実施の形態における信号ドライバ及び走査ドライバの概略構成を示すブロック図である。信号ドライバ２０は、例えば信号ドライバ２０ａ、２０ｂ及び２０ｃの３個のＬＳＩによって構成される。そして信号ドライバ２０ａはタイミングコントロール回路２０１を備える。
【００３８】
タイミングコントロール回路２０１には、ＬＣＤコントローラ７０から水平制御信号及び垂直制御信号が供給され、所定のタイミングに合わせて信号ドライバ２０及び走査ドライバ３０に水平制御信号及び垂直制御信号を出力する。
【００３９】
タイミングコントロール回路２０１はカウンタ回路（カウント手段）を備え、このカウンタ回路は水平制御信号及び垂直制御信号における垂直同期信号Ｖの入力後の水平同期信号Ｈをカウントする。カウント数が液晶表示パネル１０の走査ライン数に達したら、タイミングコントロール回路２０１は信号ドライバ２０及び走査ドライバ３０への各制御信号の出力を停止する。また、カウント数をリセットする。そして次に垂直同期信号Ｖが入力され、次いで水平同期信号Ｈが入力されると、カウントを開始するとともに、各制御信号上述した信号の出力を再開する。ここで、カウンタ回路には液晶表示パネル１０の走査ライン数が予め設定されている。
【００４０】
信号ドライバ２０ａは、タイミングコントロール回路２０１から出力される水平制御信号における水平データ読込開始信号ＨＤに応じて、水平クロック信号ＨＣＬＫに同期して反転ＲＧＢ信号のラッチ動作を開始する。信号ドライバ２０ａのラッチ動作が終了すると、信号ドライバ２０ａから信号線２０２ａを介して水平データ読込開始信号ＨＤが出力される。信号ドライバ２０ｂは水平データ読込開始信号ＨＤの入力に応じて反転ＲＧＢ信号のラッチ動作を開始する。信号ドライバ２０ｂのラッチ動作が終了すると、信号ドライバ２０ｂから信号線２０２ｂを介して水平データ読込開始信号ＨＤが出力される。信号ドライバ２０ｃは水平データ読み込み信号ＨＤの入力に応じて反転ＲＧＢ信号のラッチ動作を開始する。そして信号ドライバ２０はラッチした反転ＲＧＢ信号に対応する表示信号電圧を各信号ラインＳに印加する。
【００４１】
走査ドライバ３０は、例えば走査ドライバ３０ａ及び走査ドライバ３０ｂの２個のＬＳＩによって構成される。走査ドライバ３０ａは垂直制御信号における垂直走査開始信号ＶＳが入力されると、垂直走査クロック信号ＶＣＬＫに同期して走査ラインＧを順次走査する走査信号を出力する。走査ドライバ３０ａに接続されている走査ラインＧの最終ラインが選択されると、走査ドライバ３０ａから信号線３０１ａを介して垂直走査開始信号ＶＳが出力される。走査ドライバ３０ｂは垂直走査開始信号Ｖを入力すると垂直走査シフト信号ＶＳＨに同期して走査ラインＧを順次走査する走査信号を出力する。これにより、走査ドライバ１３０は全走査ラインＧを順次走査する。
【００４２】
図３は、本実施の形態における信号ドライバ及び走査ドライバを制御する主な信号の波形を示した図である。同図において、横軸を時間軸として、上から垂直同期信号Ｖ、水平同期信号Ｈ、垂直走査開始信号ＶＳ、垂直クロック信号ＶＣＬＫ、水平データ読込開始信号ＨＤ、信号ドライバ出力、走査ドライバから各走査ラインＧに印加される走査信号Ｘ１〜Ｘｎの波形を示している。
【００４３】
図３に示すように、垂直表示期間において、垂直同期信号Ｖの立ち上がり直後に出力された水平同期信号Ｈに基づいて、タイミングコントロール回路２０１から信号ドライバ２０及び走査ドライバ３０に水平制御信号及び垂直制御信号が出力され、垂直制御信号における垂直走査開始信号ＶＳが走査ドライバ３０に出力される。垂直走査開始信号ＶＳが出力されると、走査ドライバ３０は垂直クロック信号ＶＳＨに同期して走査ラインＧに走査信号を印加し、順次選択状態にする。また信号ドライバ２０は水平制御信号における水平データ読込開始信号ＨＤに応じて反転ＲＧＢ信号のラッチ動作を行い、ラッチした反転ＲＧＢ信号に対応する表示信号電圧を各信号ラインＳに印加する。
【００４４】
また、垂直表示期間において、タイミングコントロール回路２０１のカウンタ回路は水平同期信号Ｈの入力数のカウントを行う。そしてカウント数が走査ライン数ｎ（ｎは正の整数）に達すると、垂直表示期間が終了したと判断し、タイミングコントロール回路２０１は、走査ドライバ３０への垂直クロック信号ＶＣＬＫ等の垂直制御信号、信号ドライバ２０への水平データ読込開始信号ＨＤ等の水平制御信号の出力を停止する。
【００４５】
つまり、垂直同期信号Ｖの立ち上がり後、垂直表示期間が開始され、この垂直表示期間における水平同期信号Ｈのカウント数が走査ライン数ｎに達すると、垂直表示期間が終了して次の水平同期信号Ｈの入力から垂直ＦＰが開始されて帰線期間となる。帰線期間においては、信号ドライバ２０及び走査ドライバ３０は駆動の必要がない。そこで、タイミングコントロール回路２０１によって垂直制御信号、水平制御信号の出力が停止される。これにより、信号ドライバ２０及び走査ドライバ３０の駆動が停止される。
【００４６】
タイミングコントロール回路２０１は、次に垂直同期信号Ｖが出力されて、その直後に水平同期信号Ｈが出力されて、帰線期間が終了するまでの間、垂直制御信号、水平制御信号の出力を停止する。そして帰線期間が終了すると上記各制御信号の出力を再開する。
【００４７】
以上説明したように、本実施形態においては、垂直表示期間において水平走査信号Ｈを走査ライン数分カウントすることにより、垂直表示期間の終了を判定することができる。これにより、帰線期間における信号ドライバ２０及び走査ドライバ３０の駆動を停止することができ、液晶表示装置の消費電力を低減させることができる。
【００４８】
尚、本発明の適用は、上述した実施の形態に限定されるものではなく、本発明の趣旨を逸脱しない範囲で適宜変更可能である。例えば、上述においては、信号ドライバ２０は３個のＬＳＩによって、走査ドライバ３０は２個のＬＳＩによって構成することとして説明したが、１個のＬＳＩによって構成されてもよく、またこれ以上の個数のＬＳＩによって構成されてもよい。
【００４９】
また、図２においては、信号ドライバ２０ａにタイミングコントロール回路２０１が内蔵される構成としたが、他の信号ドライバ２０ｂ、２０ｃの何れかに内蔵するものであってもよい。更に、信号ドライバ２０ａ、２０ｂ及び２０ｃの何れにも同様のタイミングコントロール回路が内蔵されて、その何れかを用いるようにしてもよい。
【００５０】
また、上記においては、タイミングコントロール回路２０１によって垂直表示期間に水平走査信号Ｈがカウントされ、カウント数が走査ライン数ｎに達した直後に垂直制御信号、水平制御信号の出力を停止する構成としたが、例えば、カウント数が走査ライン数ｎに達した後、所定時間経過後に上記各制御信号の出力を停止することとしてもよい。更に、信号ドライバ２０及び走査ドライバ３０の駆動電源を制御する構成を備え、例えば、カウント数が走査ライン数ｎに達したら駆動電源の接続も断つようにしてもよい。これにより、液晶表示装置の消費電力を更に低減させることができる。これは以下の各実施形態にも適用することができる。
【００５１】
〔第２の実施の形態〕
第１の実施の形態では、垂直表示期間において水平同期信号Ｈを走査ライン数ｎ分カウントすることにより、垂直表示期間の終了を判定し、帰線期間における信号ドライバ及び走査ドライバの駆動を停止することとした。しかしながら、第１の実施の形態では、タイミングコントロール回路のカウンタ回路に走査ライン数を予め設定しておく必要があった。これに対し、本第２の実施の形態は、走査ドライバにおいてシフトされて出力される垂直走査開始信号を用いて垂直表示期間の終了を判定するものである。尚、本第２の実施の形態における液晶表示装置１は、第１の実施の形態において図１を用いて説明した液晶表示装置１とほぼ同等であり、信号ドライバ２０を信号ドライバ２１、走査ドライバ３０を走査ドライバ３１に置き換えた構成となる。従って、以下では信号ドライバ２１及び走査ドライバ３１の構成及び動作を中心に説明し、第１の実施の形態と同等の機能及び構成要素については同一の符号を付し、説明を省略する。
【００５２】
図４は、本実施の形態における信号ドライバ及び走査ドライバの概略構成を示すブロック図である。信号ドライバ２１は、例えば信号ドライバ２１ａ、２１ｂ及び２１ｃの３個のＬＳＩによって構成される。そして信号ドライバ２１ａはタイミングコントロール回路２１１を備える。
【００５３】
タイミングコントロール回路２１１には、ＬＣＤコントローラ７０から水平制御信号、垂直制御信号が供給され、所定のタイミングに合わせて、信号ドライバ２１及び走査ドライバ３１に水平制御信号及び垂直制御信号を出力する。
【００５４】
走査ドライバ３１は、例えば走査ドライバ３１ａ及び走査ドライバ３１ｂの２個のＬＳＩによって構成される。走査ドライバ３１にはタイミングコントロール回路２１１から出力される垂直制御信号が印加される。走査ドライバ３１ａは垂直制御信号における垂直走査開始信号ＶＳ１が入力されると、垂直走査クロック信号ＶＣＬＫに同期して走査ラインＧを順次走査する走査信号を出力する。走査ドライバ３１ａに接続されている走査ラインＧの最終ラインが選択されると、走査ドライバ３１ａから信号線３１１ａを介して垂直走査開始信号ＶＳ２が出力される。走査ドライバ３１ｂは垂直走査開始信号ＶＳ２を入力すると垂直走査クロック信号ＶＣＬＫに同期して走査ラインＧを順次走査する走査信号を出力する。
【００５５】
そして走査ドライバ３１ｂに接続されている走査ラインＧの最終ラインが選択されると、走査ドライバ３１ｂから垂直走査開始信号ＶＳ３が出力される。タイミングコントロール回路２１１には、走査ドライバ３１ｂから出力された垂直走査開始信号ＶＳ３が入力される。タイミングコントロール回路２１１は、当該信号の入力に応じて水平制御信号、垂直制御信号の出力を停止する。そして次に垂直同期信号Ｖが入力され、次いで水平同期信号Ｈが入力されると、上述した各制御信号の出力を再開する。
【００５６】
図５は、本実施の形態における信号ドライバ及び走査ドライバを制御する主な信号の信号波形を示した図である。同図に示すように、垂直同期信号Ｖの立ち上がり直後に出力された水平同期信号Ｈに基づいて、タイミングコントロール回路２１１から信号ドライバ２１及び走査ドライバ３１に水平制御信号及び垂直制御信号が出力され、垂直制御信号における垂直走査開始信号ＶＳ１が走査ドライバ３１ａに出力される。垂直走査開始信号ＶＳ１が出力されると、走査ドライバ３１ａは垂直クロック信号ＶＣＬＫに同期して走査ラインＧに走査信号を印加し、順次選択状態にする。信号ドライバ２１は水平制御信号における水平データ読込開始信号ＨＤに応じて反転ＲＧＢ信号のラッチ動作を行い、ラッチした反転ＲＧＢ信号に対応する表示信号電圧を各信号ラインＳに印加する。
【００５７】
そして、走査ドライバ３１ｂによって走査ラインＧの最終ラインが走査されると、走査ドライバ３１ｂから垂直走査開始信号ＶＳ３が出力される。垂直走査開始信号ＶＳ３が出力され、当該信号がタイミングコントロール回路２１１に入力されると、タイミングコントロール回路２１１は次の水平同期信号Ｈの入力から垂直制御信号、水平制御信号の出力を停止する。
【００５８】
つまり、走査ドライバ３１ｂから垂直走査開始信号ＶＳ３が出力されることにより、タイミングコントロール２１１は垂直表示期間が終了したと判断する。垂直表示期間が終了して垂直ＦＰが開始されると帰線期間になるため、信号ドライバ２１及び走査ドライバ３１は駆動される必要がない。そこで、タイミングコントロール回路２１１による垂直制御信号、水平制御信号の出力を停止する。これにより、信号ドライバ２０及び走査ドライバ３０の駆動が停止される。
【００５９】
タイミングコントロール回路２１１は、次に垂直同期信号Ｖが出力されて、その直後に水平同期信号Ｈが出力されて、帰線期間が終了するまでの間、垂直制御信号、水平制御信号の出力を停止する。そして帰線期間が終了すると上記各制御信号の出力を再開する。
【００６０】
以上説明したように、本実施形態においては、走査ドライバ３１ｂから出力される垂直走査開始信号ＶＳ３によって、垂直表示期間の終了を判断することができる。これにより、帰線期間における信号ドライバ２１及び走査ドライバ３１の駆動を停止させることができるため、液晶表示装置の消費電力を低減させることができる。
【００６１】
更に、第１の実施の形態では、タイミングコントロール回路２０１に走査ライン数ｎを予め設定し、垂直同期信号Ｈのカウント数が走査ライン数ｎに達したか否かによって垂直表示期間の終了を判定していたため、液晶表示パネル１０の仕様変更により走査ライン数ｎが変わった場合、その都度、タイミングコントロール回路２０１に設定する走査ライン数ｎを変更する必要があったが、本実施の形態では走査ライン数を設定する必要がないため、液晶表示パネル１０の仕様変更等による走査ライン数の変更にも即座に対応することができる。
【００６２】
尚、走査ライン数が信号ドライバ３１の出力端子数より少ない場合は、走査ラインＧに接続されていない出力端子（例えば、走査ラインＧの最終ラインに接続された出力端子の次の出力端子）から出力される走査信号をタイミングコントロール回路２０１に入力するようにし、当該信号の出力によって垂直表示期間の終了を判断するようにしてもよい。
また、図４においては、信号ドライバ２１ａにタイミングコントロール回路２１１が内蔵される構成としたが、他の信号ドライバ２１ｂ、２１ｃの何れかに内蔵するものであってもよい。更に、信号ドライバ２１ａ、２１ｂ及び２１ｃの何れにも同様のタイミングコントロール回路が内蔵されて、その何れかを用いるようにしてもよい。
【００６３】
〔第３の実施の形態〕
上述の第１及び第２の実施の形態では、信号ドライバがタイミングコントロール回路を備えることとして説明した。本第３の実施の形態は、走査ドライバがタイミングコントロール回路を備える構成を有するものである。尚、本第３の実施の形態の液晶表示装置１は、第１の実施の形態において図１を用いて説明した液晶表示装置１とほぼ同等であり、信号ドライバ２０を信号ドライバ２２、走査ドライバ３０を走査ドライバ３２に置き換え、ＬＣＤコントローラ７０から出力された水平同期信号Ｈ及び垂直同期信号Ｖが走査ドライバ３２に入力される構成となる。従って、以下では信号ドライバ２２及び走査ドライバ３２の構成及び動作を中心に説明し、第１の実施の形態と同等の機能及び構成要素については同一の符号を付し、説明を省略する。
【００６４】
図６は、本実施の形態における信号ドライバ及び走査ドライバの概略構成を示すブロック図である。信号ドライバ２２は、例えば信号ドライバ２２ａ、２２ｂ及び２２ｃの３個のＬＳＩによって構成される。信号ドライバ２２ａには走査ドライバ３２ｂに内蔵されているタイミングコントロール回路３２１から出力される水平制御信号が入力される。
【００６５】
走査ドライバ３２は、例えば走査ドライバ３２ａ及び走査ドライバ３２ｂの２個のＬＳＩによって構成される。そして走査ドライバ３２ｂはタイミングコントロール回路３２１を備える。
【００６６】
タイミングコントロール回路３２１には、ＬＣＤコントローラ７０から水平制御信号、垂直制御信号が供給され、所定のタイミングに合わせて信号ドライバ２２及び走査ドライバ３２に水平制御信号及び垂直制御信号を出力する。
【００６７】
走査ドライバ３２は、タイミングコントロール回路３２１から出力される垂直制御信号の垂直走査開始信号ＶＳ及び垂直走査クロック信号ＶＣＬＫに同期して、接続されている走査ラインＧを順次走査する。そして、走査ドライバ３２ｂに接続されている走査ラインＧの最終ラインが選択されると、タイミングコントロール回路３２１は水平制御信号及び垂直制御信号の出力を停止する。そして次に垂直同期信号Ｖが入力され、次いで水平同期信号Ｈが入力されると、上述した信号の出力を再開する。
【００６８】
図７は、本実施の形態における信号ドライバ及び走査ドライバを制御する主な信号の信号波形を示した図である。同図に示すように、垂直同期信号Ｖの立ち上がり直後に出力された水平同期信号Ｈに基づいて、タイミングコントロール回路３２１から信号ドライバ２２及び走査ドライバ３２に水平制御信号及び垂直制御信号が出力され、垂直制御信号における垂直走査開始信号ＶＳが走査ドライバ３２ａに出力される。垂直走査開始信号ＶＳが出力されると、走査ドライバ３２ａは垂直クロック信号ＶＣＬＫに同期して走査ラインＧに走査信号を印加し、順次選択状態にする。信号ドライバ２２は水平制御信号における水平データ読込開始信号ＨＤに同期して反転ＲＧＢ信号のラッチ動作を行い、ラッチした反転ＲＧＢ信号に対応する表示信号電圧を各信号ラインＳに印加する。
【００６９】
そして、走査ドライバ３２ｂによって走査ラインＧの最終ラインが走査されると、次の水平同期信号Ｈの入力からタイミングコントロール回路３２１による垂直制御信号、水平制御信号の出力が停止される。
【００７０】
つまり、走査ドライバ３２ｂによって走査ラインＧの最終ラインが走査されたことによって、タイミングコントロール回路３２１は垂直表示期間の終了を判断する。垂直表示期間が終了して垂直ＦＰが開始されると帰線期間となり、信号ドライバ２２及び走査ドライバ３２は駆動される必要がない。そこで、タイミングコントロール回路３２１による垂直制御信号、水平制御信号の出力が停止され、信号ドライバ２２及び走査ドライバ３２の駆動が停止される。
【００７１】
タイミングコントロール回路３２１は、次に垂直同期信号Ｖが出力されて、その直後に水平同期信号Ｈが出力されて、帰線期間が終了するまでの間、垂直制御信号、水平制御信号の出力を停止する。そして帰線期間が終了すると上記各制御信号の出力を再開する。
【００７２】
以上説明したように、走査ドライバ３２内にタイミングコントロール回路３２１を設置して、走査ドライバ３２ｂによって走査ラインＧの最終ラインが選択されたことを判断することにより、帰線期間における信号ドライバ２２及び走査ドライバ３２の駆動を停止させることができ、これによって、液晶表示装置の消費電力を低減させることができる。
【００７３】
更に、第２の実施の形態では、信号ドライバがタイミングコントロール回路を備えることとしたが、本実施の形態においては走査ドライバ３２がタイミングコントロール回路３２１を備える構成とした。これにより、垂直表示期間の終了の判断を走査ドライバ３２内で処理することができる。従って、走査ドライバ３２から信号ドライバ２２へは水平制御信号を出力するだけの簡素な構成とすることができる。
また、図６においては、走査ドライバ３２ｂにタイミングコントロール回路３２１が内蔵される構成としたが、走査ドライバ３２ａにも同様のタイミングコントロール回路が内蔵されるものであってもよい。
【００７４】
〔第４の実施の形態〕
上述の各実施の形態では、信号ドライバ又は走査ドライバの何れかがタイミングコントロール回路を備えることとして説明した。本第４の実施の形態は、タイミングコントロール回路が信号ドライバ及び走査ドライバの外部に独立して設置される構成を備えるものである。尚、本第４の実施の形態の液晶表示装置１は、第１の実施の形態において図１を用いて説明した液晶表示装置１に対し、信号ドライバ２０を信号ドライバ２２、走査ドライバ３０を走査ドライバ３１に置き換え、タイミングコントロール回路８０を更に備えた構成となる。以下では信号ドライバ２２、走査ドライバ３１及びタイミングコントロール回路８０の構成及び動作を中心に説明し、第１〜３の実施の形態と同等の機能及び構成要素については同一の符号を付し、説明を省略する。
【００７５】
図８は、本実施の形における信号ドライバ２２、走査ドライバ３１及びタイミングコントロール回路８０の概略構成を示すブロック図である。タイミングコントロール回路８０はＬＣＤコントローラ７０から水平制御信号、垂直制御信号、水平同期信号Ｈ、及び垂直同期信号Ｖが入力し、所定のタイミングに合わせて、信号ドライバ２１及び走査ドライバ３１に水平制御信号及び垂直制御信号を出力する。
【００７６】
信号ドライバ２２は、例えば信号ドライバ２２ａ、２２ｂ及び２２ｃの３個のＬＳＩによって構成される。信号ドライバ２２ａにはタイミングコントロール回路８０から出力される水平制御信号が入力される。
【００７７】
走査ドライバ３１は、例えば走査ドライバ３１ａ及び走査ドライバ３１ｂの２個のＬＳＩによって構成される。走査ドライバ３１にはタイミングコントロール回路８０から出力される垂直制御信号が入力される。走査ドライバ３１ａは垂直制御信号における垂直走査開始信号ＶＳ１が入力されると、垂直走査クロック信号ＶＣＬＫに同期して走査ラインＧを順次走査する。走査ドライバ３１ａに接続されている走査ラインＧの最終ラインが選択されると、走査ドライバ３１ａから信号線３１１ａを介して垂直走査開始信号ＶＳ２が出力される。走査ドライバ３１ｂは垂直走査開始信号ＶＳ２を入力すると垂直走査クロック信号ＶＣＬＫに同期して走査ラインＧを順次走査する。
【００７８】
そして走査ドライバ３１ｂに接続されている走査ラインＧの最終ラインが選択されると、走査ドライバ３１ｂから垂直走査開始信号ＶＳ３が出力される。タイミングコントロール回路８０には、走査ドライバ３１ｂから出力された垂直走査開始信号ＶＳ３が入力され、当該信号の入力に応じて水平制御信号及び垂直制御信号の出力を停止する。そして次に垂直同期信号Ｖが入力され、次いで水平同期信号Ｈが入力されると、上述した信号の出力を再開する。
【００７９】
尚、本実施形態における信号ドライバ２２、走査ドライバ３１及びタイミングコントロール回路８０を制御する主な信号の信号波形は図５に示した図と同様である。
【００８０】
上述の第１〜３の実施の形態の場合、信号ドライバ又は走査ドライバを形成するＬＳＩにタイミングコントロール回路が内蔵される構成としたが、ＬＳＩの製造においては、通常、同一の回路構成を有するＬＳＩを大量に製造してコスト低減を図るようにされる。その場合、タイミングコントロール回路が各ＬＳＩに内蔵される構成となるが、実際に使用されるタイミングコントロール回路は各ＬＳＩの何れか１つだけであって、他のＬＳＩに内蔵されたタイミングコントロール回路は使用されず、無駄となっていた。しかし、本実施の形態のように、タイミングコントロール回路８０を信号ドライバ２２及び走査ドライバ３１とは独立して設置することにより、信号ドライバ又は走査ドライバに内蔵される無駄なタイミングコントロール回路をなくすことができる。また、この場合、信号ドライバ又は走査ドライバにタイミングコントロール回路を内蔵する必要がないため、信号ドライバ及び走査ドライバとして、従来から用いられているドライバをそのまま用いることができるため、コストの増加を抑制することができる。
【図面の簡単な説明】
【００８１】
【図１】本発明における液晶表示装置の構成を示すブロック図。
【図２】第１の実施の形態における信号ドライバ及び走査ドライバの概略構成を示すブロック図。
【図３】第１の実施の形態における信号ドライバ及び走査ドライバを駆動する主な信号の信号波形を示す図。
【図４】第２の実施の形態における信号ドライバ及び走査ドライバの概略構成を示すブロック図。
【図５】第２の実施の形態における信号ドライバ及び走査ドライバを駆動する主な信号の信号波形を示す図。
【図６】第３の実施の形態における信号ドライバ及び走査ドライバの概略構成を示すブロック図。
【図７】第３の実施の形態における信号ドライバ及び走査ドライバを駆動する主な信号の信号波形を示す図。
【図８】第４の実施の形態における信号ドライバ及び走査ドライバの概略構成を示すブロック図。
【図９】従来の信号ドライバ及び走査ドライバの構成を示すブロック図。
【図１０】表示画素の等価回路。
【図１１】従来の信号ドライバ及び走査ドライバを駆動する主な信号の信号波形を示す図。
【符号の説明】
【００８２】
１        液晶表示装置
１０        液晶表示パネル
２０        信号ドライバ
３０        走査ドライバ
４０        ＲＧＢデコーダ
５０        反転アンプ
６０        駆動アンプ
７０        ＬＣＤコントローラ
８０        タイミングコントロール回路
【図１】
2006133673.tif 000003
【図２】
2006133673.tif 000004
【図３】
2006133673.tif 000005
【図４】
2006133673.tif 000006
【図５】
2006133673.tif 000007
【図６】
2006133673.tif 000008
【図７】
2006133673.tif 000009
【図８】
2006133673.tif 000010
【図９】
2006133673.tif 000011
【図１０】
2006133673.tif 000012
【図１１】
2006133673.tif 000013